(57)【特許請求の範囲】
【請求項１】
第１転写位置で転写された画像を周回により第２転写位置に搬送し、当該画像を前記第２転写位置で記録媒体に転写させる環状の中間転写体と、
前記第１転写位置の搬送方向下流であって前記第２転写位置の搬送方向上流で前記中間転写体の内周面に巻き掛けられ、前記中間転写体を外周側へ押して前記中間転写体に張力を付与する張力付与部材と、
前記中間転写体及び前記張力付与部材が設けられ、前記中間転写体及び前記張力付与部材と一体に装置本体に対して着脱される着脱体と、
前記着脱体の前記装置本体に対する装着状態において前記張力付与部材の前記中間転写体に対する押し方向側で当該張力付与部材に対して接触するように前記装置本体に設けられ、前記張力付与部材を介して前記中間転写体の内周面の電荷を逃がす接触部材と、
を備える画像形成装置。
【請求項２】
前記接触部材は、前記張力付与部材に向けて前記張力付与部材の押し方向とは反対方向へ付勢されている請求項１に記載の画像形成装置。
【請求項３】
前記接触部材は、前記中間転写体の画像の濃度を検出する検出部を保持する保持部材を兼ねる請求項１又は２に記載の画像形成装置。
【発明の詳細な説明】
【技術分野】
【０００１】
本発明は、画像形成装置に関する。
【背景技術】
【０００２】
特許文献１には、中間転写ベルトを張架する張架部材のうち、一次転写部の直近下流に配設される張架部材が接地される構成が、開示されている。
【先行技術文献】
【特許文献】
【０００３】
【特許文献１】特開２００７−１１４５００号公報
【発明の概要】
【発明が解決しようとする課題】
【０００４】
本発明は、装置本体に対して着脱される構成部品の簡素化を図ることを課題とする。
【課題を解決するための手段】
【０００５】
請求項１の発明は、第１転写位置で転写された画像を周回により第２転写位置に搬送し、当該画像を前記第２転写位置で記録媒体に転写させる環状の中間転写体と、前記第１転写位置の搬送方向下流であって前記第２転写位置の搬送方向上流で前記中間転写体の内周面に巻き掛けられ、前記中間転写体を外周側へ押して前記中間転写体に張力を付与する張力付与部材と、前記中間転写体及び前記張力付与部材が設けられ、前記中間転写体及び前記張力付与部材と一体に装置本体に対して着脱される着脱体と、前記着脱体の前記装置本体に対する装着状態において前記張力付与部材の前記中間転写体に対する押し方向側で当該張力付与部材に対して接触するように前記装置本体に設けられ、前記張力付与部材を介して前記中間転写体の内周面の電荷を逃がす接触部材と、を備える画像形成装置である。
【０００６】
請求項２の発明は、前記接触部材は、前記張力付与部材に向けて前記張力付与部材の押し方向とは反対方向へ付勢されている請求項１に記載の画像形成装置である。
【０００７】
請求項３の発明は、前記接触部材は、前記中間転写体の画像の濃度を検出する検出部を保持する保持部材を兼ねる請求項１又は２に記載の画像形成装置である。
【発明の効果】
【０００８】
本発明の請求項１の構成によれば、張力付与部材と接触して中間転写体の内周面の電荷を逃がす部材が着脱体に設けられた場合に比べ、装置本体に対して着脱される構成部品の簡素化が図れる。
【０００９】
本発明の請求項２の構成によれば、本構成を有しない場合に比べ、接触部材と張力付与部材との接触不良が抑制できる。
【００１０】
本発明の請求項３の構成によれば、専用部品を用いて検出部を保持する場合に比べ、部品点数が低減できる。
【図面の簡単な説明】
【００１１】
【図１】本実施形態に係る画像形成装置の構成を示す概略図である。
【図２】図１に示す構成において、中間転写ベルトが感光体と離間した状態を示す概略図である。
【図３】本実施形態に係る転写ユニットの構成を示す斜視図である。
【図４】本実施形態に係る接地機構の構成を示す側面図である。
【図５】本実施形態に係る接地機構の構成を示す斜視図である。
【図６】本実施形態に係る転写ユニットの取出動作時における接地機構の構成を示す側面図である。
【図７】本実施形態に係る転写ユニットの装着動作時における接地機構の構成を示す側面図である。
【図８】変形例に係る接地機構の構成を示す側面図である。
【発明を実施するための形態】
【００１２】
以下に、本発明に係る実施形態の一例を図面に基づき説明する。
【００１３】
（画像形成装置１０の構成）
まず、本実施形態に係る画像形成装置１０の構成を説明する。図１は、本実施形態に係る画像形成装置１０の構成を示す概略図である。
【００１４】
画像形成装置１０は、図１に示されるように、各構成部品が設けられる画像形成装置本体１１を備えている。画像形成装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される排出部１８が設けられている。
【００１５】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写体の一例としての中間転写ベルト２４を有する転写ユニット７０と、中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００１６】
画像形成ユニット２２Ｙ〜２２Ｋは、水平方向に対して傾斜した状態で、画像形成装置本体１１に並んで配置されている。また、画像形成ユニット２２Ｙ〜２２Ｋは、一方向（例えば、図１における時計回り方向）へ回転する感光体３２をそれぞれ有している。なお、画像形成ユニット２２Ｙ〜２２Ｋは、同様に構成されているので、図１において、画像形成ユニット２２Ｍ、２２Ｃ、２２Ｋの各部の符号を省略している。
【００１７】
各感光体３２の周囲には、感光体３２の回転方向上流側から順に、感光体３２を帯電させる帯電装置としての帯電ロール２３と、帯電ロール２３によって帯電した感光体３２を後述の露光装置３６が露光することで感光体３２に形成された静電潜像を現像してトナー画像を形成する現像装置３８と、感光体３２に残留した残留トナーを除去する除去装置６０と、が設けられている。
【００１８】
画像形成ユニット２２Ｙ〜２２Ｋの斜め下方には、帯電ロール２３によって帯電した感光体３２を露光して感光体３２に静電潜像を形成する露光装置３６が設けられている。露光装置３６は、制御部２０から送られた画像信号に基づき静電潜像を形成するようになっている。制御部２０から送られる画像信号としては、例えば、制御部２０が外部装置から取得した画像信号がある。
【００１９】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２０】
転写ユニット７０は、画像形成ユニット２２Ｙ〜２２Ｋで形成されたトナー画像を中間転写ベルト２４に転写する複数（４つ）の第１転写ロール２６を備えている。第１転写ロール２６は、それぞれ、中間転写ベルト２４を挟んで感光体３２に対向している。第１転写ロール２６は、転写電圧（バイアス）の印加により、感光体３２に形成されたトナー画像を中間転写ベルト２４に転写するようになっている。第１転写ロール２６と感光体３２との間が、感光体３２に形成されたトナー画像が中間転写ベルト２４に転写される第１転写位置Ｔ１とされている。
【００２１】
第２転写ロール２８は、中間転写ベルト２４を挟んで後述の対向ロール４２に対向している。第２転写ロール２８は、転写電圧（バイアス）の印加により、中間転写ベルト２４に転写されたトナー画像を記録媒体Ｐに転写するようになっている。第２転写ロール２８と対向ロール４２との間が、中間転写ベルト２４に転写されたトナー画像が記録媒体Ｐに転写される第２転写位置Ｔ２とされている。
【００２２】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、を有している。
【００２３】
第２転写位置Ｔ２より搬送方向下流側には、画像形成部１４によって記録媒体Ｐに形成されたトナー画像を記録媒体Ｐに定着させる定着装置４０が設けられている。この定着装置４０より搬送方向下流側には、トナー画像が定着された記録媒体Ｐを排出部１８へ排出する排出ロール５２が設けられている。
【００２４】
また、片面にトナー画像が定着された記録媒体Ｐを反転させて、再び第２転写位置Ｔ２へ送り戻すための反転搬送路３７が、搬送路４８に対する中間転写ベルト２４とは反対側（図１における右側）に設けられている。記録媒体Ｐの両面に画像を形成する際には、片面にトナー画像が定着された記録媒体Ｐが、排出ロール５２によりスイッチバックされて反転搬送路３７に導かれて第２転写位置Ｔ２へ送り戻されるようになっている。
【００２５】
また、図２に示されるように、画像形成装置本体１１の上部には、転写ユニット７０を画像形成装置本体１１から取り出すための取出口１５３を開閉する開閉部としてのカバー１５０が設けられている。具体的には、カバー１５０は、その一端部に設けられた回転軸１５２を中心に回転することで、取出口１５３を開放するようになっている。また、カバー１５０は、取出口１５３を閉鎖した状態において、排出部１８の一部を構成するようになっている。
【００２６】
転写ユニット７０は、感光体３２の回転軸方向と直交する直交方向（図１における左斜め上方向）へ取り外し可能に画像形成装置本体１１に設けられている。転写ユニット７０は、カバー１５０が取出口１５３を開放した状態であって、中間転写ベルト２４が感光体３２から離間した状態において、画像形成装置本体１１に対して着脱されるようになっている。なお、転写ユニット７０の具体的な構成は後述する。
【００２７】
（画像形成動作）
次に、本実施形態に係る画像形成装置１０における、記録媒体Ｐへ画像を形成する画像形成動作について説明する。
【００２８】
本実施形態に係る画像形成装置１０では、収容部１２から送出ロール４６によって送り出された記録媒体Ｐが、複数の搬送ロール５０によって第２転写位置Ｔ２へ送り込まれる。
【００２９】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、各第１転写位置Ｔ１にて中間転写ベルト２４に重ねられて、カラー画像が形成される。そして、中間転写ベルト２４に形成されたカラー画像が、第２転写位置Ｔ２にて記録媒体Ｐへ転写される。
【００３０】
トナー画像が転写された記録媒体Ｐは、定着装置４０へ搬送され、転写されたトナー画像が定着装置４０により定着される。記録媒体Ｐの片面へのみ画像を形成する場合は、トナー画像が定着された後、記録媒体Ｐは排出ロール５２により排出部１８へ排出される。記録媒体Ｐの両面へ画像を形成する場合には、片面に画像が形成された後、記録媒体Ｐは、排出ロール５２でスイッチバックされ、反転して反転搬送路３７へ送り込まれる。さらに、反転搬送路３７から再び第２転写位置Ｔ２へ送り込まれ、画像が記録されていない反対面に、上記と同様に画像が形成され、記録媒体Ｐの両面へ画像が形成され、排出ロール５２により排出部１８へ排出される。以上のように、一連の画像形成動作が行われる。
【００３１】
（転写ユニット７０の具体的な構成）
次に、転写ユニット７０の具体的な構成について説明する。
【００３２】
転写ユニット７０は、図３に示されるように、画像形成装置本体１１に対して着脱可能に設けられた着脱体の一例としての転写ユニット本体７１と、前述の中間転写ベルト２４と、前述の４つの第１転写ロール２６と、を備えている。
【００３３】
転写ユニット本体７１は、転写ユニット７０の骨格を構成する一対のフレーム部材７２を有している。一対のフレーム部材７２は、４つの第１転写ロール２６の回転軸方向両端側に配置されており、転写ユニット本体７１の取出方向（矢印Ｃ方向）に沿って長さを有している。
【００３４】
この一対のフレーム部材７２の外面には、画像形成装置本体１１に対する転写ユニット７０の着脱の際に、画像形成装置本体１１の案内部としての案内溝（図示省略）に案内される被案内部としての突出部７３が複数形成されている。
【００３５】
また、一対のフレーム部材７２の長手方向一端部（図３における左斜め上側の端部）には、中間転写ベルト２４に残留した残留トナーを除去する除去装置６１が設けられている。さらに、当該長手方向一端部には、画像形成装置本体１１に対する転写ユニット７０の着脱の際に作業者が把持するための一対の把持部７０Ａが設けられている。
【００３６】
中間転写ベルト２４は、一対のフレーム部材７２の間に設けられている。中間転写ベルト２４の内周側には、図１に示されるように、中間転写ベルト２４が巻き掛けられ回転駆動する駆動ロール４３と、中間転写ベルト２４が巻き掛けられ中間転写ベルト２４に張力を付与する張力付与部材の一例としての張力付与ロール４５と、中間転写ベルト２４に巻き掛けられ中間転写ベルト２４を挟んで第２転写ロール２８に対向する対向ロール４２と、が設けられている。張力付与ロール４５は、具体的には、第１転写位置Ｔ１の搬送方向下流であって第２転写位置Ｔ２の搬送方向上流で中間転写ベルト２４の内周面に巻き掛けられている。
【００３７】
駆動ロール４３は、一対のフレーム部材７２に回転可能に支持されている。この駆動ロール４３が回転駆動することで、中間転写ベルト２４は、図１における反時計方向へ周回（循環移動）するようになっている。中間転写ベルト２４は、当該周回により、各第１転写位置Ｔ１で転写された画像を第２転写位置Ｔ２に搬送し、当該画像を前記第２転写位置で記録媒体に転写させる。対向ロール４２は、一対のフレーム部材７２に回転可能に支持されており、周回する中間転写ベルト２４に従動して回転するようになっている。
【００３８】
また、張力付与ロール４５の回転軸４５Ａ（回転する軸を支持する支軸を含む）の両端は、図４に示されるように、回転軸４５Ａの軸方向視にてＬ字状に形成された保持部材８０の一端部に回転可能に支持されている。さらに、保持部材８０の角部には、軸部８４が設けられており、保持部材８０は軸部８４によりフレーム部材７２に回転可能に支持されている。つまり、保持部材８０は軸部８４を中心に回転移動し、張力付与ロール４５は軸部８４を中心に円弧状に移動可能となっている。
【００３９】
さらに、保持部材８０の他端部（右斜め上方に延びた端部）には、付勢部材としての圧縮コイルばね８６の先端部が取り付けられており、この圧縮コイルばね８６の基端部は、フレーム部材７２に固定された取付部材７８に取り付けられている。圧縮コイルばね８６の付勢力（押し力）によって、保持部材８０が軸部８４を中心に回転移動し、張力付与ロール４５が中間転写ベルト２４の内周面を中間転写ベルト２４の外周側（矢印Ｂ方向）へ押している。これにより、中間転写ベルト２４には、予め定められた範囲の張力が付与される。
【００４０】
なお、本実施形態では、中間転写ベルト２４における対向ロール４２と張力付与ロール４５との間の部分２４Ａが（外周面）で、第２転写位置Ｔ２に搬送される記録媒体Ｐの先端に当たって記録媒体Ｐを案内する案内面として機能するようになっており、張力付与ロール４５が、矢印Ｂ方向及びその反対方向へ移動することで、案内面の向きを予め定められた範囲に維持するようになっている。
【００４１】
中間転写ベルト２４の内周に配置された４つの第１転写ロール２６は、中間転写ベルト２４の内周面に対して接触する接触位置（図１参照）と、中間転写ベルト２４の内周面から離間する離間位置（図２参照）と、の間を移動可能に一対のフレーム部材７２に支持されている。
【００４２】
一対のフレーム部材７２には、図３に示されるように、４つの第１転写ロール２６を、中間転写ベルト２４の内周面に対する接触位置に向けて付勢する付勢部材（図示省略）と、当該付勢部材の付勢力に対抗して４つの第１転写ロール２６を中間転写ベルト２４の内周面に対する離間位置に移動させる移動機構７９と、が設けられている。
【００４３】
本実施形態では、４つの第１転写ロール２６が中間転写ベルト２４から離間することで、中間転写ベルト２４を感光体３２から離間させ（図２参照）、４つの第１転写ロール２６が中間転写ベルト２４に接触することで、中間転写ベルト２４を感光体３２に接触させるようになっている（図１参照）。中間転写ベルト２４を感光体３２から離間させる離間動作は、例えば、転写ユニット７０を画像形成装置本体１１から着脱する際に行われる。
【００４４】
（接地機構９１）
次に、張力付与ロール４５を画像形成装置本体１１のフレーム（基準電位点）に接地させる接地機構９１について説明する。図４及び図５は、接地機構９１の構成を示す概略図である。
【００４５】
接地機構９１は、図４及び図５に示されるように、張力付与ロール４５に接触する接触部材９０と、接触部材９０を支持する支持部材９４と、を備えている。
【００４６】
接触部材９０は、張力付与ロール４５の中間転写ベルト２４に対する押し方向側（矢印Ｂ方向側）に配置されている。接触部材９０は、張力付与ロール４５の軸方向両端側に配置され張力付与ロール４５の回転軸４５Ａに接触する一対の接触部９２と、一対の接触部９２を連結する連結部９３と、備えている。一対の接触部９２の一端部（図４における右斜め上側の端部）には、張力付与ロール４５の回転軸４５Ａが嵌る溝部９２Ａが形成されている。具体的には、張力付与ロール４５の回転軸４５Ａは、その軸方向視にて溝部９２Ａの底壁に対して２点で接触するようになっている。溝部９２Ａは、転写ユニット７０の取外方向（矢印Ｃ方向）に開口している。さらに、一対の接触部９２において、溝部９２Ａに対する転写ユニット７０の取外方向（矢印Ｃ方向）側には、傾斜部９２Ｂが形成されている。
【００４７】
連結部９３は、具体的には、一対の接触部９２の他端部（図４における左斜め下側の端部）を連結し、張力付与ロール４５の軸方向に沿って長さを有している。連結部９３の長手方向両端には、長さ方向外側へ突出する円柱状の突出部９３Ａが設けられている。突出部９３Ａは、後述の長孔９４Ｃに挿入されている。
【００４８】
連結部９３には、中間転写ベルト２４に転写された各色のトナー像の濃度を検出する検出部の一例としての検出センサ９９が、中間転写ベルト２４に対向するように連結部９３に固定されている。すなわち、接触部材９０は、検出センサ９９を保持する保持部材の一例として機能している。
【００４９】
支持部材９４は、接触部材９０に対する張力付与ロール４５とは反対側（図４における左斜め下側の端部）に設けられており、一対の接触部９２を外側から挟むように配置された一対の支持部９４Ａと、一対の支持部９４Ａを連結する連結部９４Ｂと、を備えている。
【００５０】
支持部９４Ａの一端側（図４における右斜め上側）には、張力付与ロール４５の径方向に沿って長さを有する長孔９４Ｃが形成されている。この長孔９４Ｃには、接触部材９０の突出部９３Ａが挿入されており、突出部９３Ａは、長孔９４Ｃ内で移動及び回転可能とされている。つまり、接触部材９０は、支持部材９４によって、長孔９４Ｃの長さ方向（張力付与ロール４５の径方向）に沿った移動及び張力付与ロール４５の軸方向に沿った回転軸周りに回転可能に支持されている。
【００５１】
連結部９４Ｂは、具体的には、一対の支持部９４Ａの他端部（図４における左斜め下側の端部）を連結し、張力付与ロール４５の軸方向に沿って長さを有している。また、連結部９４Ｂは、図示しない固定部材で、画像形成装置本体１１のフレームに固定されている。
【００５２】
接触部材９０の連結部９３と支持部材９４の連結部９４Ｂとの間には、接触部９２に形成された溝部９２Ａに回転軸４５Ａが嵌るように、接触部材９０を長孔９４Ｃの長手方向一端側（図４における右斜め上側）に向けて付勢する付勢部材の一例としての圧縮コイルばね９６が、連結部９４Ｂの長手方向に並んで２個設けられている。すなわち、接触部材９０は、圧縮コイルばね９６によって、張力付与ロール４５に向けて張力付与ロール４５の押し方向（矢印Ｂ方向）とは反対方向へ付勢されている。
【００５３】
接地機構９１では、湿度、室温等の環境が変わって中間転写ベルト２４の長さが変化することで、張力付与ロール４５が軸部８４を中心に一方又は他方に回転移動した場合でも、圧縮コイルばね９６によって付勢された接触部材９０の突出部９３Ａが、長孔９４Ｃ内を移動及び回転することで、張力付与ロール４５の回転軸４５Ａに溝部９２Ａが嵌められた状態が維持されるようになっている。
【００５４】
（本実施形態の作用）
次に、本実施形態の作用を説明する。
【００５５】
本実施形態では、図２に示されるように、カバー１５０を回転させて取出口１５３を開放し、転写ユニット７０を取出口１５３を通じて画像形成装置本体１１から図２における左斜め上方向へ取り出すと、図６に示されるように、圧縮コイルばね９６の付勢力により、接触部材９０が図６における右斜め上方向へ移動する。接触部材９０の突出部９３Ａが長孔９４Ｃの長手方向一端に突き当たって接触部材９０の移動が規制される。
【００５６】
取り外された転写ユニット７０を画像形成装置本体１１に装着すると、張力付与ロール４５の回転軸４５Ａが、図７に示されるように、傾斜部９２Ｂに突き当たって接触部材９０を押し下げ、回転軸４５Ａが溝部９２Ａに嵌る。これにより、張力付与ロール４５、接触部材９０、支持部材９４及び画像形成装置本体１１のフレーム（基準電位点）が導通した状態となり、中間転写ベルト２４の内周面の電荷が、張力付与ロール４５、接触部材９０及び支持部材９４と通じて、画像形成装置本体１１のフレームへ逃がされる。このように、第１転写位置Ｔ１と第２転写位置Ｔ２との間において、中間転写ベルト２４の内周面が除電される。
【００５７】
本実施形態では、張力付与ロール４５と導通する接触部材９０が画像形成装置本体１１に設けられているため、張力付与ロール４５と導通する部材が転写ユニット７０に設けられて転写ユニット７０内に接地経路を設ける場合に比べ、画像形成装置本体１１に対して着脱される転写ユニット７０の構成の簡素化、小型化が図れる。すなわち、張力付与ロール４５が変位する構成において、張力付与ロール４５と導通する部材が転写ユニット７０に設けられて転写ユニット７０内に接地経路を設ける場合では、その接地経路が複雑となり、転写ユニット７０の構成の複雑化、大型化してしまう。
【００５８】
また、本実施形態では、張力付与ロール４５の押し方向とは反対方向へ接触部材９０が付勢されているので、転写ユニット７０の構成部品（圧縮コイルばね８６など）の寸法がばらついても、張力付与ロール４５の回転軸４５Ａに溝部９２Ａが嵌められた状態が維持される。これにより、接触部材９０と張力付与ロール４５との接触不良が抑制される。
【００５９】
また、本実施形態では、湿度、室温等の環境が変わって中間転写ベルト２４の長さが変化することで、張力付与ロール４５が軸部８４を中心に一方又は他方に回転移動した場合でも、圧縮コイルばね９６によって長孔９４Ｃの長手方向一端側に向けて付勢された接触部材９０の突出部９３Ａが、長孔９４Ｃ内を移動及び回転することで、張力付与ロール４５の回転軸４５Ａに溝部９２Ａが嵌められた状態が維持される。これにより、接触部材９０と張力付与ロール４５との接触不良が抑制される。
【００６０】
また、張力付与ロール４５の回転軸４５Ａに溝部９２Ａが嵌められた状態が維持されるため、検出センサ９９と中間転写ベルト２４との距離が予め定められた値に保たれる。これにより、検出センサ９９が検出結果にばらつきが抑制される。
【００６１】
また、本実施形態では、接触部材９０が検出センサ９９の保持部材を兼ねるので、専用部品を用いて検出センサ９９を保持する場合に比べて、部品点数が低減される。
【００６２】
（変形例）
本実施形態では、中間転写ベルト２４は、駆動ロール４３、張力付与ロール４５及び対向ロール４２の３つのロールで支持されていたが、４つ以上のロールで支持される構成であってもよい。
【００６３】
また、本実施形態では、張力付与ロール４５が図４における矢印Ｂ方向に中間転写ベルト２４を押していたが、張力付与ロール４５の押し方向は、図４における矢印Ｂ方向である場合に限られるものではない。例えば、図８に示されるように、圧縮コイルばね１８６の付勢力（押し力）によって、張力付与ロール４５が中間転写ベルト２４の内周面を、転写ユニット７０の装着方向に沿った方向（矢印Ｄ方向）に押す構成であってもよい。なお、圧縮コイルばね１８６は、一端部が張力付与ロール４５の回転軸４５Ａに固定され、他端部が、フレーム部材７２に固定された取付部材１７８に取り付けられている。
【００６４】
この構成では、接地機構９１は、張力付与ロール４５の中間転写ベルト２４に対する押し方向側（矢印Ｄ方向側）に配置されている。また、接触部９２の溝部９２Ａは、転写ユニット７０の取外方向（矢印Ｃ方向）に開口している。さらに、接触部材９０は、圧縮コイルばね９６によって、張力付与ロール４５に向けて張力付与ロール４５の押し方向（矢印Ｄ方向）とは反対方向（矢印Ｃ方向）へ付勢されている。
【００６５】
本発明は、上記の実施形態に限るものではなく、種々の変形、変更、改良が可能である。例えば、上記に示した変形例は、適宜、複数を組み合わせて構成しても良い。
【符号の説明】
【００６６】
１０   画像形成装置
２４   中間転写ベルト（中間転写体の一例）
４５   張力付与ロール（張力付与部材の一例）
７１   転写ユニット本体（着脱体の一例）
９０   接触部材
９９   検出センサ
Ｐ     記録媒体
Ｔ１   転写位置
Ｔ２   転写位置
【図１】
0005895688.tif 000002
【図２】
0005895688.tif 000003
【図３】
0005895688.tif 000004
【図４】
0005895688.tif 000005
【図５】
0005895688.tif 000006
【図６】
0005895688.tif 000007
【図７】
0005895688.tif 000008
【図８】
0005895688.tif 000009